(57)【要約】【課題】ユーザの所望するシーンに再生位置を的確に移動する。【解決手段】マイクロプロセッサ１１は、リモコン２からの操作入力に基づき、スキップ先の画像情報を２以上の所定個数だけＤＶＤ−ＲＡＭ１００から読み出して取得するスキップ先画像取得部１１１と、スキップ先の位置情報、及び、対応する全ての画像情報、を１の画像として選択可能に表示する選択画像情報を生成する選択画像生成部１１２と、選択画像情報をディスプレイ３に表示させる選択画像表示部１１３と、リモコン２からの操作入力に基づき、選択画像情報において１のスキップ先の位置情報を選択し、選択された位置情報に対応した位置に再生位置を設定する再生位置設定部１１５と、再生位置を、前記再生位置設定手段によって設定されたスキップ先に移動させる再生位置スキップ部１１６と、を備える。【選択図】図５
2008085522.tif 000002
【特許請求の範囲】
【請求項１】
動画像を表示可能に構成されたディスプレイ、及び、複数のキーを備え、外部からの操作入力を前記複数のキーを介して受け付けるリモートコントローラと通信可能に接続され、ＤＶＤに格納された動画像情報を読み出して再生し、前記ディスプレイに表示させるＤＶＤプレイヤであって、
前記リモートコントローラを介して操作入力を受け付け、受け付けられた操作入力に基づき、再生時点を基準として予め設定された所定時間前のスキップ先の画像情報、及び、再生時点を基準として予め設定された所定時間後のスキップ先の画像情報、をそれぞれ２以上の予め設定された所定個数だけ前記ＤＶＤから読み出して取得すると共に、再生時点の画像情報を前記ＤＶＤから読み出して取得するスキップ先画像取得手段と、
前記所定時間前のスキップ先の画像情報、及び、前記所定時間後のスキップ先の再生時点を基準とする位置情報、及び、対応する全ての画像情報、を１の画像として前記ディスプレイに表示する選択画像情報を生成する選択画像生成手段と、
前記選択画像情報を前記ディスプレイに選択画像として表示させる選択画像表示手段と、
前記リモートコントローラを介して操作入力を受け付け、受け付けられた操作入力に基づき、前記ディスプレイに表示された前記選択画像を介して、前記所定時間前のスキップ先及び前記所定時間後のスキップ先の中から１のスキップ先の位置情報を選択する再生位置設定手段と、
再生位置を、前記再生位置設定手段によって選択された前記１のスキップ先に移動させる再生位置スキップ手段と、
を備え、
前記選択画像生成手段は、前記所定時間前のスキップ先及び前記所定時間後のスキップ先の位置情報を、再生時点を基準とするスキップ先の位置を示す文字情報として、対応する画像情報と近接する位置に表示する選択画像情報を生成し、
前記スキップ先画像取得手段は、前記再生位置設定手段によって選択された前記１のスキップ先の位置情報に対応する位置から予め設定された所定時間後までの動画像情報を前記ＤＶＤから読み出して取得し、
前記選択画像表示手段は、前記選択画像情報の内、前記再生位置設定手段によって選択された前記１のスキップ先の位置情報に対応する画像情報を、前記スキップ先画像取得手段によって取得された動画像情報に置き換えることを特徴とするＤＶＤプレイヤ。
【請求項２】
動画像を表示可能に構成された表示装置と通信可能に接続され、記録媒体に格納された動画像情報を読み出して再生し、前記表示装置に表示させる動画像再生装置であって、
外部からの操作入力を受け付け、受け付けられた操作入力に基づき、再生時点を基準として予め設定された所定時間前のスキップ先の画像情報、及び、再生時点を基準として予め設定された所定時間後のスキップ先の画像情報、をそれぞれ２以上の予め設定された所定個数だけ前記記録媒体から読み出して取得するスキップ先画像取得手段と、
前記所定時間前のスキップ先及び前記所定時間後のスキップ先の位置情報と、対応する少なくとも１の画像情報と、を１の画像として前記表示装置に表示する選択画像情報を生成する選択画像生成手段と、
前記選択画像情報を前記表示装置に選択画像として表示させる選択画像表示手段と、
外部からの操作入力を受け付け、受け付けられた操作入力に基づき、前記表示装置に表示された前記選択画像を介して、前記所定時間前のスキップ先及び前記所定時間後のスキップ先の中から１のスキップ先の位置情報を選択する再生位置設定手段と、
再生位置を、前記再生位置設定手段によって選択された前記１のスキップ先に移動させる再生位置スキップ手段と、
を備えることを特徴とする動画像再生装置。
【請求項３】
前記選択画像生成手段は、前記所定時間前のスキップ先及び前記所定時間後のスキップ先の位置情報と、対応する全ての画像情報と、を１の画像として表示する選択画像情報を生成することを特徴とする請求項２に記載の動画像再生装置。
【請求項４】
前記スキップ先画像取得手段は、再生時点の画像情報を取得し、
前記選択画像生成手段は、前記所定時間前のスキップ先及び前記所定時間後のスキップ先の位置情報と、対応する全ての画像情報と、前記再生時点の画像情報と、を１の画像として表示する選択画像情報を生成することを特徴とする請求項３に記載の動画像再生装置。
【請求項５】
前記選択画像生成手段は、前記所定時間前のスキップ先及び前記所定時間後のスキップ先の位置情報を、再生時点を基準とするスキップ先の位置を示す文字情報として、対応する画像情報と近接する位置に表示する選択画像情報を生成することを特徴とする請求項４に記載の動画像再生装置。
【請求項６】
前記選択画像生成手段は、前記再生位置設定手段によって前記１のスキップ先の位置情報が選択された場合に、前記所定時間前のスキップ先及び前記所定時間後のスキップ先の位置情報を、対応する文字情報として表示すると共に、前記再生位置設定手段によって選択された前記１のスキップ先の位置情報に対応する画像情報を表示する選択画像情報を生成することを特徴とする請求項２に記載の動画像再生装置。
【請求項７】
前記スキップ先画像取得手段は、前記再生位置設定手段によって選択された前記１のスキップ先の位置情報に対応する位置から予め設定された所定時間後までの動画像情報を前記記録媒体から読み出して取得し、
前記選択画像表示手段は、前記選択画像情報の内、前記再生位置設定手段によって選択された前記１のスキップ先の位置情報に対応する画像情報を、前記スキップ先画像取得手段によって取得された動画像情報に置き換えることを特徴とする請求項３〜請求項６のいずれかに記載の動画像再生装置。
【発明の詳細な説明】
【技術分野】
【０００１】
本発明は、動画像を表示可能に構成された表示装置と通信可能に接続され、記録媒体に格納された動画像情報を読み出して再生し、前記表示装置に表示させる動画像再生装置及びＤＶＤプレイヤに関する。
【背景技術】
【０００２】
動画像を表示可能に構成されたディスプレイと通信可能に接続され、ＤＶＤ（Ｄｉｇｉｔａｌ  Ｖｅｒｓａｔｉｌｅ  Ｄｉｓｋ）に格納された動画像情報を読み出して再生し、ディスプレイに表示させるＤＶＤプレイヤ等の動画像再生装置においては、ユーザが視聴を所望するシーンを、簡単な操作によって再生できるようにすることが求められている。
【０００３】
例えば、特許文献１には、映像の再生中にリモコンの数字キーが押され、次いで、スキップキーが押されると、スキップキーの押下時間が短いときは、数字キーで選択された数値の秒数をスキップ量とし、スキップキーの押下時間が長いときは、数字キーで選択された数値の分数（ふんすう）をスキップ量として画面上に表示した後に、動画像の再生位置を前記スキップ量に対応するスキップ先へ移動するＤＶＤプレイヤが開示されている。
【特許文献１】特開２００６−４１７５８号公報
【発明の開示】
【発明が解決しようとする課題】
【０００４】
しかしながら、上記ＤＶＤプレイヤでは、スキップ先の画像情報は、そのスキップ先に再生位置が移動されるまでは確認することができないため、スキップ先がユーザの所望する再生位置でなかった場合に、再生位置を再度移動させることになり、視聴を所望するシーンを再生するために、ユーザが操作に手間取る場合がある。
【０００５】
上記の課題に鑑みて、ユーザの視聴を所望するシーンに的確に再生位置を移動することの可能な動画像再生装置及びＤＶＤプレイヤを提供することを目的としている。
【課題を解決するための手段】
【０００６】
上記目的を達成するために請求項１に記載のＤＶＤプレイヤは、動画像を表示可能に構成されたディスプレイ、及び、複数のキーを備え、外部からの操作入力を前記複数のキーを介して受け付けるリモートコントローラと通信可能に接続され、ＤＶＤに格納された動画像情報を読み出して再生し、前記ディスプレイに表示させるＤＶＤプレイヤであって、前記リモートコントローラを介して操作入力を受け付け、受け付けられた操作入力に基づき、再生時点を基準として予め設定された所定時間前のスキップ先の画像情報、及び、再生時点を基準として予め設定された所定時間後のスキップ先の画像情報、をそれぞれ２以上の予め設定された所定個数だけ前記ＤＶＤから読み出して取得すると共に、再生時点の画像情報を前記ＤＶＤから読み出して取得するスキップ先画像取得手段と、前記所定時間前のスキップ先の画像情報、及び、前記所定時間後のスキップ先の再生時点を基準とする位置情報、及び、対応する全ての画像情報、を１の画像として前記ディスプレイに表示する選択画像情報を生成する選択画像生成手段と、前記選択画像情報を前記ディスプレイに選択画像として表示させる選択画像表示手段と、前記リモートコントローラを介して操作入力を受け付け、受け付けられた操作入力に基づき、前記ディスプレイに表示された前記選択画像を介して、前記所定時間前のスキップ先及び前記所定時間後のスキップ先の中から１のスキップ先の位置情報を選択する再生位置設定手段と、再生位置を、前記再生位置設定手段によって選択された前記１のスキップ先に移動させる再生位置スキップ手段と、を備え、前記選択画像生成手段が、前記所定時間前のスキップ先及び前記所定時間後のスキップ先の位置情報を、再生時点を基準とするスキップ先の位置を示す文字情報として、対応する画像情報と近接する位置に表示する選択画像情報を生成し、前記スキップ先画像取得手段が、前記再生位置設定手段によって選択された前記１のスキップ先の位置情報に対応する位置から予め設定された所定時間後までの動画像情報を前記ＤＶＤから読み出して取得し、前記選択画像表示手段が、前記選択画像情報の内、前記再生位置設定手段によって選択された前記１のスキップ先の位置情報に対応する画像情報を、前記スキップ先画像取得手段によって取得された動画像情報に置き換えることを特徴としている。
【０００７】
請求項２に記載の動画像再生装置は、動画像を表示可能に構成された表示装置と通信可能に接続され、記録媒体に格納された動画像情報を読み出して再生し、前記表示装置に表示させる動画像再生装置であって、外部からの操作入力を受け付け、受け付けられた操作入力に基づき、再生時点を基準として予め設定された所定時間前のスキップ先の画像情報、及び、再生時点を基準として予め設定された所定時間後のスキップ先の画像情報、をそれぞれ２以上の予め設定された所定個数だけ前記記録媒体から読み出して取得するスキップ先画像取得手段と、前記所定時間前のスキップ先及び前記所定時間後のスキップ先の位置情報と、対応する少なくとも１の画像情報と、を１の画像として前記表示装置に表示する選択画像情報を生成する選択画像生成手段と、前記選択画像情報を前記表示装置に選択画像として表示させる選択画像表示手段と、外部からの操作入力を受け付け、受け付けられた操作入力に基づき、前記表示装置に表示された前記選択画像を介して、前記所定時間前のスキップ先及び前記所定時間後のスキップ先の中から１のスキップ先の位置情報を選択する再生位置設定手段と、再生位置を、前記再生位置設定手段によって選択された前記１のスキップ先に移動させる再生位置スキップ手段と、を備えることを特徴としている。
【０００８】
請求項３に記載の動画像再生装置は、請求項２に記載の動画像再生装置であって、前記選択画像生成手段が、前記所定時間前のスキップ先及び前記所定時間後のスキップ先の位置情報と、対応する全ての画像情報と、を１の画像として表示する選択画像情報を生成することを特徴としている。
【０００９】
請求項４に記載の動画像再生装置は、請求項３に記載の動画像再生装置であって、前記スキップ先画像取得手段が、再生時点の画像情報を取得し、前記選択画像生成手段が、前記所定時間前のスキップ先及び前記所定時間後のスキップ先の位置情報と、対応する全ての画像情報と、前記再生時点の画像情報と、を１の画像として表示する選択画像情報を生成することを特徴としている。
【００１０】
請求項５に記載の動画像再生装置は、請求項４に記載の動画像再生装置であって、前記選択画像生成手段が、前記所定時間前のスキップ先及び前記所定時間後のスキップ先の位置情報を、再生時点を基準とするスキップ先の位置を示す文字情報として、対応する画像情報と近接する位置に表示する選択画像情報を生成することを特徴としている。
【００１１】
請求項６に記載の動画像再生装置は、請求項２に記載の動画像再生装置であって、前記選択画像生成手段が、前記再生位置設定手段によって前記１のスキップ先の位置情報が選択された場合に、前記所定時間前のスキップ先及び前記所定時間後のスキップ先の位置情報を、対応する文字情報として表示すると共に、前記再生位置設定手段によって選択された前記１のスキップ先の位置情報に対応する画像情報を表示する選択画像情報を生成することを特徴としている。
【００１２】
請求項７に記載の動画像再生装置は、請求項３〜請求項６のいずれかに記載の動画像再生装置であって、前記スキップ先画像取得手段が、前記再生位置設定手段によって選択された前記１のスキップ先の位置情報に対応する位置から予め設定された所定時間後までの動画像情報を前記記録媒体から読み出して取得し、前記選択画像表示手段が、前記選択画像情報の内、前記再生位置設定手段によって選択された前記１のスキップ先の位置情報に対応する画像情報を、前記スキップ先画像取得手段によって取得された動画像情報に置き換えることを特徴としている。
【発明の効果】
【００１３】
請求項１に記載のＤＶＤプレイヤによれば、再生時点を基準として予め設定された所定時間前のスキップ先、及び、再生時点を基準として予め設定された所定時間後のスキップ先の位置情報と、対応する少なくとも１の画像情報と、を１の画像として表示する選択画像情報が選択画像としてディスプレイに表示され、選択画像を介して、１のスキップ先の位置情報が選択されるため、ユーザは、選択画像によってスキップ先を画像情報として視覚的に捉えて選択することができるので、ユーザが視聴を所望するシーンに的確に再生位置を移動することができる。
【００１４】
また、所定時間前のスキップ先及び所定時間後のスキップ先の位置情報と、対応する全ての画像情報と、が１の画像（＝選択画像）として表示されるため、ユーザは、この選択画像において選択可能な全てのスキップ先を画像情報として視覚的に捉えて選択することができるので、ユーザが視聴を所望するシーンに更に的確に再生位置を移動することができる。
【００１５】
更に、所定時間前のスキップ先及び所定時間後のスキップ先の位置情報と、対応する全ての画像情報と、再生時点の画像情報と、が１の画像（＝選択画像）として表示されるため、ユーザは、再生時点の画像情報を確認することができるので、再生時点の画像情報と対比しながらスキップ先を視覚的に捉えて選択することができ、スキップ先の選択が容易になる。
【００１６】
加えて、所定時間前のスキップ先及び所定時間後のスキップ先の位置情報が、再生時点を基準とするスキップ先の位置を示す文字情報として、対応する画像情報と近接する位置に表示されるため、ユーザは、スキップ先を位置情報と関連づけられた画像情報として捉えることが可能となり、スキップ先の選択が更に容易になる。
【００１７】
また、選択された１のスキップ先の位置情報に対応する画像情報が、選択された１のスキップ先の位置情報に対応する位置から予め設定された所定時間後までの動画像情報に置き換えられるため、ユーザは、スキップ先を動画像として視認することができるので、所望する再生位置を更に的確に移動させることができる。
【００１８】
請求項２に記載の動画像再生装置によれば、再生時点を基準として予め設定された所定時間前のスキップ先、及び、再生時点を基準として予め設定された所定時間後のスキップ先の位置情報と、対応する少なくとも１の画像情報と、を１の画像として表示する選択画像情報が選択画像として表示装置に表示され、選択画像を介して、１のスキップ先の位置情報が選択されるため、ユーザは、選択画像によってスキップ先を画像情報として視覚的に捉えて選択することができるので、ユーザが視聴を所望するシーンに的確に再生位置を移動することができる。
【００１９】
請求項３に記載の動画像再生装置によれば、所定時間前のスキップ先及び所定時間後のスキップ先の位置情報と、対応する全ての画像情報と、が１の画像（＝選択画像）として表示されるため、ユーザは、この選択画像において選択可能な全てのスキップ先を画像情報として視覚的に捉えて選択することができるので、ユーザが視聴を所望するシーンに更に的確に再生位置を移動することができる。
【００２０】
請求項４に記載の動画像再生装置によれば、所定時間前のスキップ先及び所定時間後のスキップ先の位置情報と、対応する全ての画像情報と、再生時点の画像情報と、が１の画像（＝選択画像）として表示されるため、ユーザは、再生時点の画像情報を確認することができるので、再生時点の画像情報と対比しながらスキップ先を視覚的に捉えて選択することができ、スキップ先の選択が容易になる。
【００２１】
請求項５に記載の動画像再生装置によれば、所定時間前のスキップ先及び所定時間後のスキップ先の位置情報が、再生時点を基準とするスキップ先の位置を示す文字情報として、対応する画像情報と近接する位置に表示されるため、ユーザは、スキップ先を位置情報と関連づけられた画像情報として捉えることが可能となり、スキップ先の選択が更に容易になる。
【００２２】
請求項６に記載の動画像再生装置によれば、所定時間前のスキップ先及び所定時間後のスキップ先の位置情報を、対応する文字情報として表示すると共に、選択された１のスキップ先の位置情報に対応する画像情報が表示されるため、画像情報の表示数が１個で済み、選択画像情報を生成する処理を簡略化することができる。また、選択された１のスキップ先に対応する画像情報を大きく表示することができるため、選択された１のスキップ先に対応する画像情報の視認性を向上することができる。
【００２３】
請求項７に記載の動画像再生装置によれば、選択された１のスキップ先の位置情報に対応する画像情報が、選択された１のスキップ先の位置情報に対応する位置から予め設定された所定時間後までの動画像情報に置き換えられるため、ユーザは、スキップ先を動画像として視認することができるので、所望する再生位置を更に的確に移動させることができる。
【発明を実施するための最良の形態】
【００２４】
以下に本発明の実施形態を、図面を参照しながら説明する。図１は、本発明に係るＤＶＤプレイヤの接続状態の一例を示す構成図である。ＤＶＤ（Ｄｉｇｉｔａｌ  Ｖｅｒｓａｔｉｌｅ  Ｄｉｓｋ）プレイヤ１（動画像再生装置に相当する）は、リモートコントローラ（＝Ｒｅｍｏｔｅｃｏｎｔｒｏｌｌｅｒ：以下、「リモコン」という）２と赤外線通信を介して通信可能に接続され、ディスプレイ３とＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブルを用いて（＝ＨＤＭＩ規格を用いて）通信可能に接続されている。また、ＤＶＤプレイヤ１は、リモコン２を介して、ユーザからの操作入力を受け付けると共に、ＤＶＤ−ＲＡＭ１００（記録媒体に相当する）に格納された動画像情報及び音声情報を読み出して再生し、ＨＤＭＩケーブルを介してディスプレイ３に出力されるものである。
【００２５】
リモコン２は、ユーザからの操作入力を受け付けて、操作入力に対応する赤外線信号を生成して、ＤＶＤプレイヤ１に対して出力するものである。ここでは、リモコン２は、スキップ先の位置情報、及び、対応する画像情報を、１の画像として表示する選択画像情報を選択画像としてディスプレイ３に表示させる旨の操作入力、選択画像を介して１のスキップ先を選択する操作入力、並びに、選択したスキップ先に再生位置を移動させる操作入力を受け付けるものである。
【００２６】
ディスプレイ３（表示装置に相当する）は、スピーカを備え、ＤＶＤプレイヤ１からＨＤＭＩケーブルを介して入力された動画像情報及び音声情報に基づいて、動画像及び音声の出力を行うものである。また、ディスプレイ３は、リモコン２からの操作入力に基づいて、選択画像情報を選択画像として表示するものである。
【００２７】
図２は、ＤＶＤプレイヤ１の構成の一例を示すブロック図である。ＤＶＤプレイヤ１は、マイクロプロセッサ１１、光ピックアップ１２、ＲＦ回路１３、外部インターフェイス１４、ＨＤＭＩインターフェイス１５、表示パネル１６、メモリ１７、赤外線信号受信部１８、及び、操作部１９を備えている。
【００２８】
マイクロプロセッサ１１は、ＤＶＤプレイヤ１全体の動作を制御するものであって、ここでは、リモコン２からの操作信号を図２に示す赤外線信号受信部１８を介して受信して、受信された操作信号に対応するコマンド情報を生成してディスプレイ３に対してＨＤＭＩケーブルを介して送信するものである。
【００２９】
光ピックアップ１２は、ＤＶＤ−ＲＡＭ１００に対してレーザービームを照射してデータの読み出しを行うものである。ＲＦ回路１３は、光ピックアップ１２から出力される（Ｒａｄｉｏ  Ｆｒｅｑｕｅｎｃｙ）信号を処理するものである。外部インターフェイス１４は、外部入出力機器との間で、データの入出力を行う際のデータ形式の変換等を行うものである。ＨＤＭＩインターフェイス１５は、ＨＤＭＩ規格に従って、ＨＤＭＩケーブルを介してディスプレイ３との間で動画像情報、音声情報の種々の情報送受信を行うものである。
【００３０】
表示パネル１６は、例えば、ＬＣＤ（Ｌｉｑｕｉｄ  Ｃｒｙｓｔａｌ  Ｄｉｓｐｌａｙ）等からなり、外部から視認可能に、再生されている動画像情報のタイトル情報、リンク情報、ガイダンス情報、メッセージ情報、設定情報等の種々の情報を表示するものである。
【００３１】
メモリ１７は、種々の情報を格納するものである。メモリ１７には、図１０及び図１６に示す後述する画面テンプレート情報が予め格納されているものとする。
【００３２】
赤外線信号受信部１８は、リモコン２から送信された赤外線信号を受信するものである。操作部１９（操作手段の一部に相当する）は、種々の操作ボタンを備え、操作ボタンを介して外部からの操作入力を受け付けるものである。
【００３３】
図３は、ＤＶＤプレイヤ１の外観の一例を示す正面図である。ＤＶＤプレイヤ１は、左側に、操作部１９が配設され、略中央部に、ＤＶＤ−ＲＡＭ１００が載置されるトレイ１０が配設され、右側に、表示パネル１６が配設されている。
【００３４】
図４は、リモコンの外観の一例を示す正面図である。リモコン２は、スキップキー２１、矢印キー２２、エンターキー２３、リターンキー２４等のキーを備えている。スキップキー２１は、左右の方向を選択する一対のキーからなり、再生中の動画像の再生位置を、現在の再生時点を基準として１つ前又は１つ後のチャプタに移動させる場合に押下されるキーである。矢印キー２２、上下左右の方向を選択する４つのキーからなり、ディスプレイ３に表示されたボタン等の選択状態を変更する場合に押下されるキーである。エンターキー２３は、ディスプレイ３に表示されたボタン等の選択状態を確定する場合に押下されるキーである。リターンキー２４は、ディスプレイ３に表示されたボタン等の選択状態を取り消す（＝キャンセルする）場合に押下されるキーである。
【００３５】
図５は、本発明の第１の実施形態に係るＤＶＤプレイヤ１の主要な構成の一例を示すブロック図である。図１に示すマイクロプロセッサ１１は、機能的に、スキップ先画像取得部１１１、選択画像生成部１１２、選択画像表示部１１３、押下キー判別部１１４、再生位置設定部１１５、再生位置スキップ部１１６、及び、動画像再生部１１７を備えている。
【００３６】
ここでは、マイクロプロセッサ１１が、図略のＲＯＭ（Ｒｅａｄ  Ｏｎｌｙ  Ｍｅｍｏｒｙ）等に予め格納されたプログラムを読み出して実行することにより、スキップ先画像取得部１１１、選択画像生成部１１２、選択画像表示部１１３、押下キー判別部１１４、再生位置設定部１１５、再生位置スキップ部１１６、及び、動画像再生部１１７として機能するものである。
【００３７】
また、図２に示すメモリ１７又は図略のＲＯＭに格納された各種データのうち装着可能な記録媒体に格納され得るデータは、例えばハードディスクドライブ、光ディスクドライブ、フレキシブルディスクドライブ、シリコンディスクドライブ、カセット媒体読取り機等のドライバで読取り可能にしてもよく、この場合、記録媒体は、例えばハードディスク、光ディスク、フレキシブルディスク、ＣＤ（Ｃｏｍｐａｃｔ  Ｄｉｓｋ）、半導体メモリ等である。
【００３８】
スキップ先画像取得部１１１（スキップ先画像取得手段に相当する）は、リモコン２からの操作情報に基づいて、スキップ先の画像情報及び再生時点の画像情報を取得するものである。具体的には、スキップ先画像取得部１１１は、リモコン２に配設された左右のスキップキー２１が同時に押下された場合に、リモコン２からの操作情報に基づいて、再生時点を基準として予め設定された所定時間前のスキップ先の画像情報、及び、再生時点を基準として予め設定された所定時間後のスキップ先の画像情報、をそれぞれ２以上の予め設定された所定個数（ここでは、４個）だけＤＶＤ−ＲＡＭ１００から読み出して取得すると共に、再生時点の画像情報を取得するものである。ここでは、スキップ先画像取得部１１１は、再生時点を基準として３０秒前、６０秒前、９０秒前、及び１２０秒前の４個の再生時点より前のスキップ先の画像情報と、再生時点を基準として１５秒後、３０秒後、４５秒後、及び６０秒後の４個の再生時点より後のスキップ先の画像情報と、再生時点の画像情報と、の合計９個の画像情報を取得するものとする。
【００３９】
また、スキップ先画像取得部１１１は、再生位置設定部１１５によって１のスキップ先の位置情報が選択された場合に、選択された１のスキップ先の位置情報に対応する位置から予め設定された所定時間（例えば、１０秒）後までの動画像情報をＤＶＤ−ＲＡＭ１００から読み出して取得するものである。
【００４０】
選択画像生成部１１２（選択画像生成手段に相当する）は、再生時点を基準として所定時間前（ここでは、３０秒前、６０秒前、９０秒前、及び１２０秒前）のスキップ先及び所定時間後（ここでは、１５秒後、３０秒後、４５秒後、及び６０秒後）のスキップ先の位置情報、対応する全ての画像情報、及び、再生時点の画像情報、を１の画像としてディスプレイ３に表示する選択画像情報を生成するものである。
【００４１】
選択画像表示部１１３（選択画像表示手段に相当する）は、選択画像生成部１１２によって生成された選択画像情報を選択画像としてディスプレイ３に表示させるものである。以下、ディスプレイ３に選択画像が表示された画面を、「スキップ先一覧画面」という。
【００４２】
図６は、ディスプレイ３に表示されるスキップ先一覧画面の一例を示す画面図である。（ａ）は、デフォールトのスキップ先一覧画面の画面図５００であり、（ｂ）は、スキップ先選択時のスキップ先一覧画面の画面図５１０である。画面図５００、画面図５１０には、画面上部中央に、「スキップ先一覧画面」の文字情報を表示する画面名称表示部ｓがそれぞれ表示されている。また、画面図５００、画面図５１０には、画面名称表示部ｓの下側に３行３列の格子状に配置された所定の大きさの枠を有するスキップ先画像表示部ｆ１〜ｆ９に、対応する画像ｑ１〜ｑ９がそれぞれ縮小されて表示され、更に、各スキップ先画像表示部ｆ１〜ｆ９の下側に近接して配置されたスキップ位置表示部ｔ１〜ｔ９に、対応する位置情報を示す文字情報であるスキップ位置ｐ１〜ｐ９がそれぞれ表示されている。例えば、スキップ位置表示部ｔ１のスキップ位置ｐ１には、「１２０秒前」と表示され、対応するスキップ先画像表示部ｆ１の画像ｑ１には、飛行機の画像が表示されている。
【００４３】
押下キー判別部１１４は、スキップ先一覧画面がディスプレイ３に表示されているとき、リモコン２に配設されたキーが押下された場合に、リモコン２からの操作情報に基づいて、押下されたキーの種別を判別するものである。ここでは、押下キー判別部１１４は、矢印キー２２の上下左右の４つのキー、エンターキー２３及びリターンキー２４の内、いずれのキーが押下されたかを判別するものとする。
【００４４】
再生位置設定部１１５（再生位置設定手段に相当する）は、リモコン２からの操作情報に基づいて、スキップ先一覧画面を介して、１のスキップ先の位置情報を選択するものである。具体的には、再生位置設定部１１５は、デフォールトとして、スキップ先一覧画面において現在の再生時点を表す位置情報を選択しており、その後、押下キー判別部１１４を介して、リモコン２に配設された矢印キー２２の上下左右の４つのキーのいずれかが押下されたことが判別される度に、スキップ先一覧画面において、押下された矢印キー２２の方向に画像情報１個分移動した位置にあるスキップ先の画像情報に対応する位置情報を選択するものである。
【００４５】
例えば、図６（ａ）に示す画面図５００において現在の再生時点を表す位置情報（＝スキップ位置ｐ５）が選択された状態で、リモコン２に配設された上方向の矢印キー２２が押下された場合には、再生位置設定部１１５によって、現在の再生時点を基準として９０秒前の位置情報（＝スキップ位置ｐ２）が選択され、リモコン２に配設された右方向の矢印キー２２が押下された場合には、再生位置設定部１１５によって、現在の再生時点を基準として１５秒後の位置情報（＝スキップ位置ｐ６）が選択されるのである。
【００４６】
また、選択画像表示部１１３は、再生位置設定部１１５によって選択されたスキップ先の位置情報に対応する画像情報を、他の画像情報と識別可能に画像処理して表示するものである。ここでは、例えば、選択画像表示部１１３は、再生位置設定部１１５によって選択されたスキップ先の位置情報に対応する画像情報の枠を太枠に変更して表示するものである。
【００４７】
図６（ａ）にハッチングを付して示すように、現在の再生時点を表す位置情報が選択されている場合には、再生時点の画像情報を表示するスキップ先画像表示部ｆ５の枠を太枠に変更して表示する。また、選択画像表示部１１３は、図６（ｂ）にハッチングを付して示すように、１のスキップ先（図６（ｂ）の例では再生時点を基準として３０秒後）の位置情報が選択されている場合には、対応する画像情報を表示するスキップ先画像表示部ｆ７の枠を太枠に変更して表示する。
【００４８】
更に、選択画像表示部１１３は、再生位置設定部１１５によって１のスキップ先の位置情報が選択された場合に、スキップ先一覧画面の内、選択された１のスキップ先の位置情報に対応する画像情報を、スキップ先画像取得部１１１によって取得された動画像情報に置き換えて表示するものである。例えば、選択画像表示部１１３は、図６（ｂ）にハッチングを付して示すように、１のスキップ先（図６（ｂ）の例では再生時点を基準として３０秒後）の位置情報が選択された場合には、まず、対応する画像情報を表示するスキップ先画像表示部ｆ７の枠を太枠に変更して表示し、その後、スキップ先画像取得部１１１によって動画像情報が取得された時点で、スキップ先画像表示部ｆ７に動画像情報を表示するものである。
【００４９】
再生位置スキップ部１１６（再生位置スキップ手段に相当する）は、再生位置を、再生位置設定部１１５によって選択された１のスキップ先に移動させるものである。具体的には、再生位置スキップ部１１６は、再生位置設定部１１５によって１のスキップ先が選択されている状態で、押下キー判別部１１４によって、リモコン２に配設されたエンターキー２３が押下されたことが判別された場合には、再生位置を、再生位置設定部１１５によって選択されたスキップ先に移動させるものである。また、再生位置スキップ部１１６は、再生位置設定部１１５によって１のスキップ先が選択されている状態で、押下キー判別部１１４によってリモコン２に配設されたリターンキー２４が押下されたことが判別された場合には、スキップ先の設定を取り消し、再生位置をデフォールトの再生位置（＝現在の再生位置）に戻すものである。
【００５０】
動画像再生部１１７は、再生位置スキップ部１１６によって再生位置が移動された場合に、スキップ先の動画像情報をＤＶＤ−ＲＡＭ１００から読み出して再生し、ディスプレイ３に表示させるものである。
【００５１】
図７は、本発明の第１の実施形態に係るＤＶＤプレイヤ１（マイクロプロセッサ１１）の動作の一例を示すフローチャートである。まず、動画像再生部１１７によって、ＤＶＤ−ＲＡＭ１００に格納された動画像情報が読み出されて再生され、ディスプレイ３に表示される（Ｓ１０１）。そして、押下キー判別部１１４によって、リモコン２の左右のスキップキー２１が同時に押下されたか否かの判別が行われる（Ｓ１０３）。リモコン２の左右のスキップキー２１が同時に押下されていないと判別された場合（Ｓ１０３でＮＯ）には、処理が待機状態とされる。リモコン２の左右のスキップキー２１が同時に押下されたと判別された場合（Ｓ１０３でＹＥＳ）には、動画像再生部１１７によって、動画像情報の再生が停止される（Ｓ１０５）。そして、スキップ先画像取得部１１１によって、スキップ先の画像情報及び再生時点の画像情報を取得する処理であるスキップ先画像取得処理が実行される（Ｓ１０７）。
【００５２】
そして、再生位置設定部１１５によって、再生時点がデフォールトのスキップ先として選択される（Ｓ１０９）。次に、選択画像生成部１１２によって、スキップ先一覧画面に対応する画像情報である選択画像情報を生成する処理であるスキップ先一覧画面生成処理が実行され（Ｓ１１１）、選択画像表示部１１３によってスキップ先一覧画面がディスプレイ３に表示される（Ｓ１１３）。そして、選択画像表示部１１３によって、図６（ａ）に示すように、画面図５００において再生時点の画像情報ｑ５を表示するスキップ先画像表示部ｆ５の枠が太枠に変更されて表示される（Ｓ１１５）。更に、スキップ先画像取得部１１１によって、再生時点からの動画像情報が取得され、選択画像表示部１１３によって、再生時点の画像情報が、再生時点からの動画像情報を置き換えて表示される（Ｓ１１７）。
【００５３】
そして、押下キー判別部１１４によって、リモコン２に配設された矢印キー２２の上下左右の４つのキーのいずれかが押下されたか否かが判別される（Ｓ１１９）。矢印キー２２の上下左右の４つのキーのいずれかが押下されたと判別された場合（Ｓ１１９でＹＥＳ）には、再生位置設定部１１５によって、スキップ先一覧画面において押下された矢印キー２２の方向に画像情報１個分移動した位置にあるスキップ先の画像情報に対応する位置情報が選択される（Ｓ１２１）。そして、選択画像表示部１１３によって、選択されたスキップ先の画像情報を表示するスキップ先画像表示部の枠が太枠で表示される（Ｓ１２３）。次に、スキップ先画像取得部１１１によって、選択されたスキップ先の動画像情報が取得され、選択画像表示部１１３によって、スキップ先の画像情報が、対応するスキップ先の動画像情報に置き換わって表示され（Ｓ１２５）、処理がステップＳ１１９に戻され、ステップＳ１１９以降の処理が繰り返し実行される。
【００５４】
ステップＳ１１９において、矢印キー２２の上下左右の４つのキーのいずれかが押下されていないと判別された場合（Ｓ１１９でＮＯ）には、押下キー判別部１１４によって、リモコン２に配設されたエンターキー２３が押下されたか否かが判別される（Ｓ１２７）。エンターキー２３が押下されたと判別された場合（Ｓ１２７でＹＥＳ）には、再生位置スキップ部１１６によって、再生位置が、ステップＳ１２１で選択されたスキップ先に移動され、動画像再生部１１７によって、スキップ先の動画像情報が読み出されて再生され、ディスプレイ３に表示され（Ｓ１２９）、処理が終了される。
【００５５】
ステップＳ２１７において、エンターキー２３が押下されていないと判別された場合（Ｓ１２７でＹＥＳ）には、押下キー判別部１１４によって、リモコン２に配設されたリターンキー２４が押下されたか否かが判別され（Ｓ１３１）。リターンキー２４が押下されたと判別された場合（Ｓ１３１でＹＥＳ）には、再生位置スキップ部１１６によって、スキップ先の設定が取り消され、再生位置がデフォールトの再生位置（＝現在の再生時点）に戻され、動画像再生部１１７によって、再生時点の動画像情報が読み出されて再生され、ディスプレイ３に表示され（Ｓ１３３）、処理が終了される。リターンキー２４が押下されていないと判別された場合（Ｓ１３１でＮＯ）には、処理がステップ１１９に戻され、ステップ１１９以降の処理が繰り返し実行される。
【００５６】
図８は、図７に示すフローチャートのステップＳ１０７において実行されるスキップ先画像取得処理の一例を示す詳細フローチャートである。なお、以下の処理は全てスキップ先画像取得部１１１によって実行されるものである。まず、現在の再生時点の画像情報がＤＶＤ−ＲＡＭ１００から読み取られる（Ｓ２０１）。そして、図２に示すメモリ１７等に予め格納された所定の時間（３０秒、６０秒、９０秒、１２０秒）が読み出されて、設定される（Ｓ２０３）。次に、再生時点を基準として３０秒前、６０秒前、９０秒前、１２０秒前のスキップ先のＤＶＤ−ＲＡＭ１００上のアドレスが求められる（Ｓ２０５）。そして、ＤＶＤ−ＲＡＭ１００の該当アドレスからそれぞれ画像情報が読み取られる（Ｓ２０７）。このようにして、再生時点を基準として３０秒前、６０秒前、９０秒前、１２０秒前のスキップ先の画像情報が全て取得される。
【００５７】
続いて、図２に示すメモリ１７等に予め格納された所定の時間（１５秒、３０秒、４５秒、６０秒）が読み出されて、設定される（Ｓ２０９）。そして、再生時点を基準として１５秒後、３０秒後、４５秒後、６０秒後のスキップ先のＤＶＤ−ＲＡＭ１００上のアドレスが求められる（Ｓ２１１）。次に、ＤＶＤ−ＲＡＭ１００の該当アドレスからそれぞれ画像情報が読み取られる（Ｓ２１３）。このようにして、再生時点を基準として１５秒後、３０秒後、４５秒後、６０秒後のスキップ先の画像情報が全て取得される。
【００５８】
図９は、図７に示すフローチャートのステップＳ１１１において実行されるスキップ先一覧画面生成処理の一例を示す詳細フローチャートである。なお、以下の処理は全て選択画像生成部１１２によって行われる。まず、メモリ１７等に格納されたスキップ先一覧画面の画面テンプレート情報が読み出される（Ｓ３０１）。
【００５９】
ここで、画面テンプレート情報に対応する画面テンプレートＴは、図１０に示すように、上部中央に「スキップ先一覧画面」の文字情報として表示された画面名称表示部ｓと、その下側に３行３列の格子状に形成された９個のスキップ先画像表示部ｆ１〜ｆ９と、各スキップ先画像表示部ｆ１〜ｆ９の下側の近接した位置に形成された９個のスキップ位置表示部ｔ１〜ｔ９と、を有するテンプレートである。スキップ先一覧画面は、画面テンプレートＴにスキップ先の画像、及び、スキップ先の位置情報を示す文字等の各種画像を貼り付けることによって生成されるものである。
【００６０】
再び図９に戻ってスキップ先一覧画面生成処理を説明する。現在の再生時点を表す位置情報、及び、スキップ先の位置情報、が文字情報として、対応するスキップ位置表示部ｔ１〜ｔ９に形成される（Ｓ３０３）。続いて、取得された画像情報がそれぞれ縮小処理されて、対応するスキップ先画像表示部ｆ１〜ｆ９に貼り付けられ（Ｓ３０５）、処理がリターンされる。
【００６１】
例えば、図６（ａ）に示すように、再生時点を基準として１２０秒前のスキップ先の位置情報ｐ１を「１２０秒前」の文字情報としてスキップ位置表示部ｔ１に形成し、スキップ先画像表示部ｆ１に、対応する画像情報ｑ１を縮小処理して貼り付ける。また、例えば、スキップ位置表示部ｔ２に、再生時点を基準として９０秒前のスキップ先の位置情報ｐ２を「９０秒前」の文字情報としてスキップ位置表示部ｔ１に形成し、スキップ先画像表示部ｆ２に、対応する画像情報ｑ２を縮小処理して貼り付ける。
【００６２】
このように第１の実施形態に係るＤＶＤプレイヤ１によれば、スキップ先の位置情報、及び、対応する全ての画像情報、を１の画像として表示するスキップ先一覧画面がディスプレイ３に表示されるため、ユーザは、このスキップ先一覧画面において選択可能な全てのスキップ先を画像情報として視覚的に捉えて選択することができるので、ユーザの意図するシーンに的確、かつ、容易に再生位置を移動させることが可能となる。
【００６３】
また、スキップ先一覧画面には再生時点の画像情報が表示されるため、ユーザは、再生時点の画像情報を確認することができるので、スキップ先一覧画面において再生時点の画像情報と対比しながらスキップ先を視覚的に捉えて選択することができ、スキップ先の選択が容易になる。
【００６４】
更に、スキップ先の位置情報が、対応する画像情報と近接した位置に表示されるため、ユーザは、スキップ先一覧画面においてスキップ先を、スキップ先を位置情報と関連づけられた画像情報として視覚的に捉えることが可能となり、スキップ先の選択が更に容易になる。
【００６５】
加えて、デフォールトとして、再生時点の画像情報を表示するスキップ先画像表示部ｆ５の枠が太枠で表示されるため、再生時点より前のスキップ先の画像情報と、再生時点より後のスキップ先の画像情報とを視覚的に区別しやすくなり、スキップ先の選択が更に容易になる。
【００６６】
また、スキップ先一覧画面において選択されているスキップ先の画像情報に動画像情報が置き換わって表示されるため、ユーザは、スキップ先を動画像として視認することができるので、スキップ先の選択が更に容易になる。
【００６７】
次に、本発明の第２の実施形態について説明する。図１１は、本発明の第２の実施形態に係るＤＶＤプレイヤ１の主要な構成の一例を示すブロック図である。この図において、図５に示す第１の実施形態に係るマイクロプロセッサ１１の機能部と同一機能を有する機能部には同一符号を付して説明を省略する。第２の実施形態に係るマイクロプロセッサ１１は、第１の実施形態に係るマイクロプロセッサ１１の選択画像生成部１１２、選択画像表示部１１３、押下キー判別部１１４、及び、再生位置設定部１１５に換えて、選択画像生成部１１２１、選択画像表示部１１３１、押下キー判別部１１４１、及び、再生位置設定部１１５１を備えている。
【００６８】
選択画像生成部１１２１（選択画像生成手段に相当する）は、再生位置設定部１１５１によって１のスキップ先の位置情報が選択された場合に、所定時間前のスキップ先及び所定時間後のスキップ先の位置情報を、対応する文字情報として表示すると共に、再生位置設定部１１５１によって選択された１のスキップ先の位置情報に対応する画像情報を表示する選択画像情報を生成するものである。
【００６９】
すなわち、第１の実施形態に係る選択画像生成部１１２が、スキップ先の位置情報、及び、対応する全ての画像情報、を１の画像として選択可能に表示する選択画像情報を生成するのに対して、選択画像生成部１１２１が、再生位置設定部１１５１によって選択された１のスキップ先の位置情報に対応する画像情報を表示する点において、第１の実施形態とは相違している。
【００７０】
選択画像表示部１１３１（選択画像表示手段に相当する）は、選択画像生成部１１２１によって生成された選択画像情報を選択画像としてディスプレイ３に表示させるものである。以下、ディスプレイ３に選択画像が表示された画面を、「スキップ先一覧画面」という。
【００７１】
押下キー判別部１１４１は、スキップ先一覧画面がディスプレイ３に表示されているとき、リモコン２に配設されたキーが押下された場合に、リモコン２からの操作情報に基づいて、押下されたキーの種別を判別するものである。ここでは、押下キー判別部１１４は、矢印キー２２の上下の２つのキー、エンターキー２３及びリターンキー２４の内、いずれのキーが押下されたかを判別するものとする。
【００７２】
また、再生位置設定部１１５１は、押下キー判別部１１４１によってリモコン２に配設された矢印キー２２の上下のいずれかのキーが押下されたことが判別された場合に、生成された選択画像情報を介して１のスキップ先の位置情報を選択するものである。
【００７３】
図１２は、選択画像表示部１１３１によってディスプレイ３に表示されるスキップ先一覧画面の一例を示す画面図５２０である。画面図５２０には、画面上部中央に、「スキップ先一覧画面」の文字情報である画面名称表示部ｓが表示され、画面名称表示部ｓの左下側のスキップ位置表示部ｔに、現在の再生時点を表す位置情報及びスキップ先の位置情報が文字情報として表示され、その右側のスキップ先画像表示部ｆに、対応する画像情報が第１の実施形態（図６参照）と比べて大きな画像として表示されている。
【００７４】
また、選択画像表示部１１３１は、図１２に示すように、スキップ位置表示部ｔに、画面上で上下方向に動いて選択された１のスキップ先の位置情報（又は現在の再生時点を表す位置情報）を示すマークｃを表示させるものである。具体的には、再生位置設定部１１５１によって、デフォールトとして現在の再生時点が選択されており、選択画像表示部１１３１によって、スキップ位置表示部ｔに現在の再生時点を表す位置情報（＝「現在」）の上にマークｃが表示されると共に、スキップ先画像表示部ｆに現在の再生時点の画像情報が表示される。
【００７５】
そして、押下キー判別部１１４１によって、リモコン２に配設された矢印キー２２の上下の２つのキーのいずれかが押下されたことが判別された場合に、再生位置設定部１１５１によって、スキップ先の位置情報が選択される。そして、選択画像表示部１１３１によって、スキップ位置表示部ｔに、押下された矢印キー２２の方向にマークｃが位置情報１個分移動されて選択された位置情報（例えば、図１２に示すように再生時点を基準として３０秒後のスキップ先の位置情報ｐ７）の上に表示されると共に、スキップ先画像表示部ｆに対応する画像情報（例えば、図１２に示すように再生時点を基準として３０秒後のスキップ先の画像情報ｑ７）が表示される。
【００７６】
図１３は、第２の実施形態に係るマイクロプロセッサ１１の動作の一例を示すフローチャートである。ここでは、便宜上、図７に示すフローチャートと相違するステップについてのみ説明する。ステップ４１１では、選択画像生成部１１２１によって、図１２に示すスキップ先一覧画面が生成される。ステップ４１５では、選択画像表示部１１３１によって、スキップ位置表示部ｔにおける現在の再生時点を表す位置情報の上にマークｃが表示される（Ｓ４１５）。
【００７７】
次に、ステップ４１９〜ステップ４２９の処理について説明する。まず、押下キー判別部１１４１によって、リモコン２に配設された矢印キー２２の上下の２つのキーのいずれかが押下されたか否かが判別される（Ｓ４１９）。矢印キー２２の上下の２つのキーのいずれかが押下されたと判別された場合（Ｓ４１９でＹＥＳ）には、再生位置設定部１１５１によって、スキップ先一覧画面において、ステップ４１９で押下された矢印キー２２の方向に位置情報１個分移動した位置にあるスキップ先の画像情報に対応する位置情報が選択される（Ｓ４２１）。
【００７８】
そして、選択画像生成部１１２１によってスキップ先一覧画面を更新する処理であるスキップ先一覧画面更新処理が実行され（Ｓ４２３）、選択画像表示部１１３１によって、更新されたスキップ先一覧画面が表示される（Ｓ４２５）。次に、選択画像表示部１１３１によって、ステップ４２１において選択された位置情報の上にマークｃが表示される（Ｓ４２７）。そして、スキップ先画像取得部１１１によって、ステップ４２１において選択されたスキップ先の動画像情報が取得され、選択画像表示部１１３１によって、スキップ先の画像情報が、対応するスキップ先の動画像情報に置き換えて表示され（Ｓ４２９）、処理がステップＳ４１９に戻され、ステップＳ４１９以降の処理が繰り返し実行される。
【００７９】
図１４は、図１３に示すフローチャートのステップＳ４１１において実行されるスキップ先一覧画面生成処理の一例を示す詳細フローチャートである。なお、以下の処理は全て選択画像生成部１１２１によって行われる。まず、メモリ１７等に予め格納されたスキップ先一覧画面の画面テンプレート情報が読み出される（Ｓ５０１）。
【００８０】
ここで、画面テンプレート情報に対応する画面テンプレートＴは、図１６に示すように、上部中央に「スキップ先一覧画面」の文字情報として表示された画面名称表示部ｓと、その左下側に形成されたスキップ位置表示部ｔと、スキップ位置表示部ｔの右側に形成されたスキップ先画像表示部ｆと、を有するテンプレートである。スキップ先一覧画面は、画面テンプレートＴにスキップ先の画像、及び、スキップ先の位置情報を示す文字等の各種画像を貼り付けることによって生成されるものである。
【００８１】
再び図１４に戻ってスキップ先一覧画面生成処理を説明する。スキップ位置表示部ｔに、現在の再生時点を表す位置情報、及び、スキップ先の位置情報、が文字情報としてスキップ位置表示部ｔに形成される（Ｓ５０３）。具体的には、例えば、図１２に示すように、スキップ位置表示部ｔに、再生時点を基準として１２０秒前〜再生時点〜６０秒後のスキップ先の位置情報ｐ１〜ｐ５〜ｐ９を「１２０秒前」〜「現在」〜「６０秒後」の文字情報として形成する。続いて、スキップ先画像表示部ｆに、再生時点の画像情報ｑ５が縮小処理されて貼り付けられ（Ｓ５０５）、処理がリターンされる。
【００８２】
図１５は、図１３に示すフローチャートのステップＳ４２３において実行されるスキップ先一覧画面更新処理の一例を示す詳細フローチャートである。なお、以下の処理は全て選択画像生成部１１２１によって行われる。まず、スキップ先画像取得部１１１によって取得された画像情報の中から、再生位置設定部１１５１によって選択されたスキップ先の位置情報に対応する１の画像情報が選定される（Ｓ６０１）。次に、選定されたスキップ先の画像情報が、スキップ先画像表示部ｆに、縮小処理して貼り付けられて書き換えられる（Ｓ６０３）。このようにして、再生位置設定部１１５１によって、スキップ先が選択される度に、新たな選択画像情報が生成され、スキップ先一覧画面が更新される。
【００８３】
このように第２の実施形態に係るＤＶＤプレイヤ１によれば、スキップ先一覧画面のスキップ位置表示部ｔに文字情報として表示されたスキップ先の位置情報の中から１のスキップ先の位置情報が選択されることにより、選択された１のスキップ先の位置情報に対応する画像情報がスキップ先画像表示部ｆに表示されるため、画像情報の表示数が１個で済み、選択画像情報を生成する処理を簡略化することができる。また、選択された１のスキップ先に対応する画像情報を大きく表示することができるため、選択された１のスキップ先に対応する画像情報の視認性を向上することができる。
【００８４】
なお、本発明は、以下の形態にも適用可能である。
（Ａ）本発明に係る第１の実施形態及び第２の実施形態では、動画像再生装置がＤＶＤプレイヤ１である場合について説明したが、動画像及び音声を出力可能に構成されたディスプレイ３等の表示装置と通信可能に接続され、ＤＶＤ−ＲＡＭ１００等の記録媒体に格納された情報を読み出して再生可能に構成された装置であればよい。例えば、動画像再生装置が、パーソナルコンピュータ等である形態でもよい。
【００８５】
（Ｂ）本発明に係る第１の実施形態及び第２の実施形態では、表示装置がディスプレイ３である場合について説明したが、動画像及び音声を出力可能に構成され、ＤＶＤプレイヤ１等の動画像再生装置と通信可能に接続される装置であればよい。例えば、表示装置がテレビ放送を受信可能に構成されたテレビ受信機等である形態でもよい。
【００８６】
（Ｃ）本発明に係る第１の実施形態及び第２の実施形態では、ＤＶＤプレイヤ１とディスプレイ３とがＨＤＭＩを介して通信可能に接続される場合について説明したが、その他のインターフェイス（例えば、ＤＶＩ等）で通信可能に接続される形態でもよい。
【００８７】
（Ｄ）本発明に係る第１の実施形態及び第２の実施形態では、スキップ先画像取得部１１１が、再生時点を基準として予め設定された所定時間前のスキップ先の画像情報、及び、再生時点を基準として予め設定された所定時間後のスキップ先の画像情報、をそれぞれ予め設定された２以上の所定個数（ここでは４個）だけ取得する場合について説明したが、再生時点を基準として予め設定された所定時間前のスキップ先の画像情報、又は、再生時点を基準として予め設定された所定時間後のスキップ先の画像情報、を予め設定された２以上の所定個数だけ取得する形態でもよい。
【００８８】
例えば、スキップ先画像取得部１１１が、再生時点を基準として予め設定された所定時間前のスキップ先の画像情報を２以上の所定個数（例えば８個）だけ取得する形態でもよい。この場合には、再生時点より前のスキップ先の画像情報を表示するスキップ先一覧画面がディスプレイ３に表示されるため、再生時点を基準として予め設定された所定時間後のスキップ先を表示しないので、再生時点より前のスキップ先の個数を多く設定することができる。
【００８９】
（Ｅ）本発明に係る第１の実施形態及び第２の実施形態では、再生位置スキップ部１１６が、リモコン２に配設されたエンターキー２３が押下された場合に、リモコン２からの操作情報に基づいて、再生位置を、再生位置設定部１１５、１１５１により設定されたスキップ先に移動させる場合について説明したが、再生位置スキップ部１１６が、計時機能を有し、計時機能によってスキップ先が設定されてから予め設定された所定時間（例えば、３秒）が経過したと判定された場合に、再生位置を、再生位置設定部１１５、１１５１により設定されたスキップ先に移動させる形態でもよい。この場合には、ディスプレイ３に表示されたスキップ先一覧画面において１のスキップ先が選択されれば、そのスキップ先に再生位置が移動されるため、操作を簡略化することができる。
【００９０】
（Ｆ）本発明に係る第１の実施形態及び第２の実施形態では、再生位置設定部１１５、１１５１が、デフォールトとして、再生時点を選択する場合について説明したが、再生位置設定部１１５、１１５１が、デフォールトとして、予め設定された１のスキップ先（例えば、現在再生時点の３０秒後）の位置情報を選択する形態でもよい。
【００９１】
（Ｇ）本発明に係る第２の実施形態では、スキップ先画像取得部１１１が、デフォールトとして、再生位置設定部１１５１によって再生時点が選択された時点で、全てのスキップ先の画像情報をＤＶＤ−ＲＡＭ１００から読み出して取得する場合について説明したが、スキップ先画像取得部１１１が、再生位置設定部１１５１によって選択される度に、再生位置設定部１１５１によって選択された１のスキップ先の位置情報に対応する画像情報をＤＶＤ−ＲＡＭ１００から読み出して取得する形態でもよい。この場合は、全てのスキップ先の画像情報を読み出して取得する場合と比較して、スキップ先一覧画面を表示するまでの待ち時間を短縮することができる。
【００９２】
（Ｈ）本発明に係る第１の実施形態及び第２の実施形態では、スキップ先画像取得部１１１が、図２に示すメモリ１７等に予め格納された所定の時間を読み出して、再生時点を基準として所定の時間前（及び所定の時間後）のスキップ先の画像情報を取得する場合について説明したが、スキップ先画像取得部１１１が、スキップ先の位置情報を、外部からの（例えば、リモコン２からの）操作入力に基づいて設定する形態でもよい。この場合には、ユーザの所望するスキップ先の位置を設定することができる。
【図面の簡単な説明】
【００９３】
【図１】は、本発明に係るＤＶＤプレイヤの接続状態の一例を示す構成図である。
【図２】は、ＤＶＤプレイヤの構成の一例を示すブロック図である。
【図３】は、ＤＶＤプレイヤの外観の一例を示す正面図である。
【図４】は、リモコンの外観の一例を示す正面図である。
【図５】は、本発明の第１の実施形態に係るＤＶＤプレイヤの主要な構成の一例を示すブロック図である。
【図６】は、ディスプレイに表示されるスキップ先一覧画面の一例を示す画面図である。
【図７】は、本発明の第１の実施形態に係るＤＶＤプレイヤ（マイクロプロセッサ）の動作の一例を示すフローチャートである。
【図８】は、図７に示すフローチャートのステップＳ１０７において実行されるスキップ先画像取得処理の一例を示す詳細フローチャートである。
【図９】は、図７に示すフローチャートのステップＳ１１１において実行されるスキップ先一覧画面生成処理の一例を示す詳細フローチャートである。
【図１０】は、第１の実施形態に係るスキップ先一覧画面の画面テンプレートの一例である。
【図１１】は、本発明の第２の実施形態に係るＤＶＤプレイヤの主要な構成の一例を示すブロック図である。
【図１２】は、ディスプレイ３に表示されるスキップ先一覧画面の一例を示す画面図５２０である。
【図１３】は、第２の実施形態に係るマイクロプロセッサ１１の動作の一例を示すフローチャートである。
【図１４】は、図１３に示すフローチャートのステップＳ４１１において実行されるスキップ先一覧画面生成処理の一例を示す詳細フローチャートである。
【図１５】は、図１３に示すフローチャートのステップＳ４２３において実行されるスキップ先一覧画面更新処理の一例を示す詳細フローチャートである。
【図１６】は、第２の実施形態に係るスキップ先一覧画面の画面テンプレートの一例である。
【符号の説明】
【００９４】
１    ＤＶＤプレイヤ（動画像再生装置）
１００    ＤＶＤ−ＲＡＭ（記録媒体）
１１  マイクロプロセッサ
１１１    スキップ先画像取得部（スキップ先画像取得手段）
１１２、１１２１    選択画像生成部（選択画像生成手段）
１１３、１１３１    選択画像表示部（選択画像表示手段）
１１４、１１４１    押下キー判別部
１１５、１１５１    再生位置設定部（再生位置設定手段）
１１６    再生位置スキップ部（再生位置スキップ手段）
１９    操作部（操作手段の一部）
２    リモートコントローラ（操作手段の一部）
３    ディスプレイ（表示装置）
【図１】
2008085522.tif 000003
【図２】
2008085522.tif 000004
【図３】
2008085522.tif 000005
【図４】
2008085522.tif 000006
【図５】
2008085522.tif 000007
【図６】
2008085522.tif 000008
【図７】
2008085522.tif 000009
【図８】
2008085522.tif 000010
【図９】
2008085522.tif 000011
【図１０】
2008085522.tif 000012
【図１１】
2008085522.tif 000013
【図１２】
2008085522.tif 000014
【図１３】
2008085522.tif 000015
【図１４】
2008085522.tif 000016
【図１５】
2008085522.tif 000017
【図１６】
2008085522.tif 000018